(57)【要約】  開口部分を形成する上部を持った容器のための蓋体は、容器の上部に嵌合してこれを覆う大きさの底部蓋材を含む。底部蓋材は、底部蓋材と容器の上部とを機械的に係合させ、かつ容器の開口部分よりも大きな面積をもつ周辺構造を有するように構成された延長部を含む。蓋体はまた、底部蓋材と機械的に係合して両者の間に景品収容空間を形成すべく構成された上部蓋材を含む。【特許請求の範囲】
【請求項１】
開口部分を形成する上部をもった容器のための蓋体であって、
前記容器の前記上部に機械的に係合して前記容器の開口部分よりも面積の大きな周辺構造を形成するように構成された延長部を含み、前記容器の前記上部に嵌合してこれを覆う大きさの底部蓋材、および
前記底部蓋材に機械的に係合して前記底部蓋材との間に景品収容空間を形成するように構成された上部蓋材を備える、蓋体。
【請求項２】
前記上部蓋材は前記周辺構造と機械的に係合するように構成されている、請求項１の蓋体。
【請求項３】
前記上部蓋材は、前記周辺構造に嵌合して下向きに延びる外縁部を有する、請求項１の蓋体。
【請求項４】
前記延長部は前記外縁部に対面する側部を含み、前記側部および前記外縁部の間に、前記上部蓋材を前記底部蓋材から分離するための隙間が形成される、請求項３の蓋体。
【請求項５】
前記景品収容空間を覆う前記上部蓋材の少なくとも一部が透明である、請求項１の蓋体。
【請求項６】
前記景品収容空間はメディアディスクを収容する形状とされている、請求項１の蓋体。
【請求項７】
前記周辺構造はメディアディスクを支持するように構成されている、請求項６の蓋体。
【請求項８】
前記景品収容空間は、外径略１２０ｍｍのメディアディスクを収容する形状とされている、請求項１の蓋体。
【請求項９】
前記底部蓋材および前記上部蓋材はそれぞれの中心部に開口部を含む、請求項１の蓋体。
【請求項１０】
前記底部蓋材および前記上部蓋材は、それぞれの中心部に位置する補完的な相互嵌合部を含む、請求項１の蓋体。
【請求項１１】
中心部に位置する補完的な相互嵌合部は貫通孔を含む、請求項１０の蓋体。
【請求項１２】
開口部付きの容器用のカバー兼メディアディスク表示器具であって、
前記容器の前記開口部に嵌合してこれを覆いメディアディスクのための複数の支持面を有し、前記複数の支持面のうち少なくとも一つが前記容器の前記開口部の周囲に位置するように構成された蓋材を備える、容器用のカバー兼メディアディスク表示器具。
【請求項１３】
前記メディアディスクを前記蓋材に固定するための手段をさらに含む、請求項１２のカバー兼メディアディスク表示器具。
【請求項１４】
前記メディアディスクを固定するための前記手段は、前記複数の支持面の少なくとも一つに配設された接着用素材を含む、請求項１３のカバー兼メディアディスク表示器具。
【請求項１５】
前記メディアディスクを固定するための前記手段は、前記メディアディスクを上から覆って前記蓋材と機械的に係合するように構成されたカバー材を含む、請求項１３のカバー兼メディアディスク表示器具。
【請求項１６】
前記蓋材は、その中心に形成された、前記メディアディスクの中心穴に嵌合する大きさの上向きの突起部を含む、請求項１２のカバー兼メディアディスク表示器具。
【請求項１７】
前記複数の支持面は、前記容器の前記開口部を覆う大きさの内側支持面を含む、請求項１２のカバー兼メディアディスク表示器具。
【請求項１８】
前記複数の支持面は、前記メディアディスクの周縁部を支持すべく構成された外側支持面を含む、請求項１７のカバー兼メディアディスク表示器具。
【請求項１９】
容器のための蓋体であって、
メディアディスクを覆う大きさの上部蓋材、および
前記メディアディスクを支持し、前記上部蓋材に相互嵌合し、前記メディアディスクの直径よりも小さな直径の容器の開口部と機械的に係合する底部蓋材を備える、蓋体。
【請求項２０】
前記メディアディスクの外径は略１２０ｍｍである、請求項１９の蓋体。
【請求項２１】
前記上部蓋材は前記底部蓋材の周囲に嵌め合わされるように構成されている、請求項１９の蓋体。
【請求項２２】
前記上部蓋材および前記底部蓋材は、前記メディアディスクの中心穴に嵌る大きさの相互嵌合突起をそれぞれの中心部に有する、請求項１９の蓋体。
【請求項２３】
前記相互嵌合突起は貫通孔を含む、請求項２２の蓋体。
【請求項２４】
前記上部蓋材および前記底部蓋材はそれぞれの中心部に貫通孔を含む、請求項１９の蓋体。
【発明の詳細な説明】
【背景技術】
【０００１】
景品（例えばデジタルメディアディスク、ＣＤ−ＲＯＭ名刺、テレホンカード、優待券、小冊子、宣伝資料等）の添付が可能な様々な蓋体が知られているが、容器開口部の確実なカバーとして機能すると共に、容器開口部よりもサイズの大きなメディアディスク（あるいはその他の景品）を保持、保護、表示することのできる蓋体または蓋具があれば便利であろう。
【発明を実施するための最良の形態】
【０００２】
以下は、本発明を実施するための詳細な説明である。この説明は限定的にとらえられるべきものではなく、本発明の一般原理を説明することを目的としたものに過ぎない。
【０００３】
図１から図３を参照して、本発明の一例としての蓋体１００は、図示のように形成される上部蓋材１０２および底部蓋材１０４を含む。底部蓋材１０４は、容器１０８の開口部１０６に嵌合してこれを覆うとともに、メディアディスク１１４のための内側支持面１１０および外側支持面１１２を有するように構成されている。内側支持面１１０は容器１０８の開口部１０６を覆うサイズとされる。外側支持面１１２は容器１０８の開口部１０６の周囲に位置し、メディアディスク１１４の周縁部１１６を支持するように構成される。したがって、本発明の実施形態によれば、開口部付き容器用のカバー兼メディアディスク表示器具は、容器の開口部に嵌合してこれを覆いかつメディアディスクのための複数の支持面を有するように構成される蓋材を含み、複数の支持面のうちの少なくとも一つが容器開口部の周囲に位置する。
【０００４】
容器１０８について述べると、開口部１０６は上部１１８によって定義される。図の例では、上部１１８は通常のカップ状容器の縁であり、開口部１０６の形状は円形である。なお、本発明の原理は非常に多様な容器タイプに適用可能である。例えば、容器１０８は飲料用容器（冷飲料または温飲料）やスープ用容器（例えばカップ麺）でもよい。さらには、本発明に係わる蓋具および蓋体は、非円形（例えば、方形、楕円形）の容器開口部に嵌合してこれを覆うものでもよいし、上部が非平面および／または不連続な容器開口部に嵌合してこれを覆うように構成されてもよい。
【０００５】
底部蓋材１０４は、容器１０８の上部１１８に嵌合してこれを覆うサイズとされる。そのため、底部蓋材１０４は上部１１８を補完するように形成される。実施形態では、図示の通り、底部蓋材１０４には上部１１８と係合するための凹部１２０が形成される。
【０００６】
実施形態では、底部蓋材１０４は容器１０８の上部１１８と底部蓋材１０４とを機械的に係合させるように構成された延長部１２２を含む。実施形態では、図示の通り、延長部１２２は内側支持面１１０から下方に湾曲し、上向きとなって外側支持面１１２に到達して終わる。実施形態では、凹部１２０は図示の通り延長部１２２に形成されている。これにより、外側支持面１１２は容器開口よりも面積の大きな周縁構造を持つことになる。上述したように、周辺構造はメディアディスク１０６を支持するように構成される。
【０００７】
より一般的には、多種多様な景品（例えば、デジタルメディアディスク、ＣＤ−ＲＯＭ名刺、テレホンカード、優待券、小冊子、宣伝資料等）を支持するために複数の支持構造が構成されてもよい。実施形態では、外径が略１２０ｍｍのメディアディスクを、内側支持面１１０および外側支持面１１２によって支持するように構成しているが、本発明の原理はこれ以外のサイズや形状のメディアディスク、そしてそれ以外の様々な景品を収納するように構成された蓋具および蓋体にも適用することができる。
【０００８】
本発明に係わる蓋具および蓋体は、メディアディスクを蓋材に固定するための機構を含むこともできる。例として、この固定のための機構は、複数の支持面のうち少なくとも一つに配設された接着用素材１２４を含むことができる。また、固定のための機構は、メディアディスクの上から覆って蓋材と機械的に係合するように構成されたカバー材を含むことができる。実施形態では、上部蓋材１０２がこのカバー材となっており、底部蓋材１０４と機械的に係合して両者の間に景品収容空間１２６を形成するように構成されている。実施形態では、この景品収容空間１２６は外径略１２０ｍｍのメディアディスクを収容する形状とされ、景品収容空間１２６を覆う上部蓋材１０２の少なくとも一部を透明として、景品収容空間１２６内に固定されている品物を見ることができるようにしている。なお、複数の支持面と同様に、景品収容空間１２６は上記とは別のサイズや形状のメディアディスクを収容できるように構成することもできるし、また、ディスクとは違うタイプの景品を収容できるようにすることも可能である。
【０００９】
上部蓋材１０２は周辺構造と機械的に係合するように構成される。実施形態では、上部蓋材１０２の外縁部１２８は周辺構造（外側支持面１１２）に外嵌してそこから下向きに延出するようになっている。実施形態では、延長部１２２は外縁部１２８に対面する側部１３０を含み、上部蓋材１０２を底部蓋材１０４から分離できるようにこの側部１３０と外縁部１２８との間に隙間１３２が形成される。実施形態では、側部１３０と外縁部１２８とは、人の手指を差し入れやすいように人間工学的に構成された隙間１３２を設け、かつ上部蓋材１０２を底部蓋材１０４から外した際に底部蓋材１０４が不用意に容器１０８から外れることのないよう形成されている。
【００１０】
実施形態では、延長部１２２は図示の通り、外側支持面１１２のやや下から延びる片持ち縁部１３４を含む。実施形態では、上部蓋材１０２は図示のように片持ち縁部１３４を補完するように形成される隆部１３６を含み、隆部１３６が片持ち縁部１３４に嵌り合うようになっている。なお、上部蓋材１０２は、これとは別の方法で底部蓋材１０４の周囲に嵌り合う構成としてもよい。以上により、本発明の実施形態に係わる容器用蓋体は、メディアディスクを上から覆う大きさの上部蓋材、およびメディアディスクを支持し、上部蓋材に相互嵌合し、メディアディスクよりも直径の小さな容器の開口部と機械的に係合するように構成された底部蓋材を含む。
【００１１】
実施形態では、上部蓋材１０２および底部蓋材１０４はそれぞれ、中心部に相互嵌合部１３８および１４０を含む。例示としてのこれら相互嵌合部１３８および１４０は、それぞれに補完面、および開口部１４２と１４４が形成されており、飲料用のストロー、マドラー、スプーン等を挿入することができるようになっている。実施形態では、相互嵌合部１３８および１４０は、メディアディスク１１４の中心穴１４６に嵌る大きさに中心部に形成された相互嵌合突起として構成されている。
【００１２】
本発明につき、上記実施形態を取り上げて説明してきたが、当業者からみれば、上記実施形態に様々な変更および／または追加が可能であることは明白であろう。本発明の範囲はそのような変更および／または追加をすべて含むものである。
【図面の簡単な説明】
【００１３】
添付図面を参照しつつ本発明の実施形態の詳細な説明を行う。
【図１】本発明の蓋体兼メディアディスクの一実施形態の分解斜視図である。
【図２】図１の蓋体兼メディアディスクを組み立てて容器の上部近傍に配した状態を示す横断面図である。
【図３】図２の状態に組み立てた蓋体兼メディアディスクの分解部分横断面図である。
【図１】
2007523808.tif 000002
【図２】
2007523808.tif 000003
【図３】
2007523808.tif 000004
【国際調査報告】
2007523808.tif 000005